(57)【要約】【課題】特定場所において提供される情報の不正取得を防止する。【解決手段】携帯端末１は、信号発生装置３が発生させた信号を受信する端末受信部１５１と、受信した信号に含まれる識別情報を取得する識別情報取得部１５２と、認証に用いられる認証情報を取得する複数の取得方式の少なくともいずれかにより、認証情報を取得する認証情報取得部１５３と、取得した識別情報及び認証情報を認証装置２に送信する端末送信部１５４とを有し、認証装置は、携帯端末１から識別情報及び認証情報を受信し、受信した識別情報及び認証情報に基づいて携帯端末１の認証を行う。【選択図】図２Ａ
2015165356.tif 000002
【特許請求の範囲】
【請求項１】
信号発生装置と、携帯端末と、認証装置とを備える認証システムであって、
前記信号発生装置は、所定の識別情報を含む信号を発生させ、
前記携帯端末は、
前記信号発生装置が発生させた前記信号を受信する端末受信部と、
受信した前記信号に含まれる前記識別情報を取得する識別情報取得部と、
認証に用いられる認証情報を取得する複数の取得方式の少なくともいずれかにより、認証情報を取得する認証情報取得部と、
取得した前記識別情報及び前記認証情報を前記認証装置に送信する端末送信部とを有し、
前記認証装置は、
前記携帯端末から前記識別情報及び前記認証情報を受信する装置受信部と、
受信した前記識別情報及び前記認証情報に基づいて前記携帯端末の認証を行う認証部とを有する、
認証システム。
【請求項２】
前記端末送信部は、前記識別情報取得部が前記識別情報を取得したことに応じて当該識別情報を前記認証装置に送信し、
前記認証装置は、
前記装置受信部が前記識別情報を受信したことに応じて、前記複数の取得方式から、少なくとも１以上の取得方式を選択する選択部と、
前記携帯端末に、選択された取得方式による前記認証情報の取得を指示する指示情報を送信する装置送信部とを有し、
前記認証情報取得部は、受信した前記指示情報に基づいて前記認証情報を取得し、
前記端末送信部は、前記認証情報取得部が取得した前記認証情報を前記認証装置に送信する、
請求項１に記載の認証システム。
【請求項３】
前記認証装置は、
前記認証部が前記携帯端末の認証に成功した場合、前記識別情報に基づいて、前記携帯端末に提供する提供情報を取得する取得部をさらに有し、
前記装置送信部は、取得した前記提供情報を前記携帯端末に送信し、
前記端末受信部は、前記認証装置から前記提供情報を受信する、
請求項２に記載の認証システム。
【請求項４】
前記信号発生装置は店舗に設置され、
前記認証システムは、前記信号発生装置が設置されている店舗のユーザが使用する店舗端末をさらに有し、
前記認証装置は、前記携帯端末を識別する端末識別情報と、当該携帯端末のユーザの情報とを関連付けて記憶する記憶部をさらに有し、
前記識別情報取得部は、前記端末識別情報をさらに取得し、
前記端末送信部は、前記端末識別情報を前記認証装置にさらに送信し、
前記取得部は、前記認証部が前記携帯端末の認証に成功すると、前記記憶部を参照して前記端末識別情報に関連する前記ユーザの情報をさらに取得し、
前記装置送信部は、取得した前記ユーザの情報を前記店舗端末に送信する、
請求項３に記載の認証システム。
【請求項５】
信号発生装置から、所定の識別情報を含む信号を受信する端末受信部と、
受信した前記信号に含まれる前記識別情報を取得する識別情報取得部と、
認証に用いられる認証情報を取得する複数の取得方式の少なくともいずれかにより、認証情報を取得する認証情報取得部と、
取得した前記識別情報及び前記認証情報を認証装置に送信する端末送信部と、
を備える携帯端末。
【請求項６】
コンピュータを、
信号発生装置から、所定の識別情報を含む信号を受信する端末受信部、
受信した前記信号に含まれる前記識別情報を取得する識別情報取得部、
認証に用いられる認証情報を取得する複数の取得方式の少なくともいずれかにより、認証情報を取得する認証情報取得部、及び
取得した前記識別情報及び前記認証情報を認証装置に送信する端末送信部、
として機能させる携帯端末用プログラム。
【発明の詳細な説明】
【技術分野】
【０００１】
本発明は、認証システム、携帯端末及び携帯端末用プログラムに関する。
【背景技術】
【０００２】
近年、近距離無線通信を用いて、特定場所を訪れた携帯端末のユーザに特典を付与することが行われている。例えば、特許文献１には、店舗に設置されている装置が、当該装置を識別する識別情報が重畳された超音波を放音し、携帯端末が、当該超音波を集音して当該超音波に重畳されている識別情報を抽出すると、当該携帯端末のユーザに特典を付与する情報処理システムが開示されている。
【先行技術文献】
【特許文献】
【０００３】
【特許文献１】特開２０１２−２５２３７１号公報
【発明の概要】
【発明が解決しようとする課題】
【０００４】
しかしながら、特許文献１に記載の方法によれば、特定場所で放音されている超音波を録音しておき、異なる場所において、録音した超音波を放音することができる。したがって、携帯端末のユーザが、店舗で録音した超音波を店舗の位置とは異なる位置において放音することで、超音波に重畳されている識別情報を取得し、不正に特典情報を取得することができるという問題がある。
【０００５】
そこで、本発明はこれらの課題を解決するためになされたものであり、特定場所において提供される情報の不正取得を防止することができる認証システム、携帯端末及び携帯端末用プログラムを提供することを目的とする。
【課題を解決するための手段】
【０００６】
本発明の第１の態様に係る認証システムは、信号発生装置と、携帯端末と、認証装置とを備える認証システムであって、前記信号発生装置は、所定の識別情報を含む信号を発生させ、前記携帯端末は、前記信号発生装置が発生させた前記信号を受信する端末受信部と、受信した前記信号に含まれる前記識別情報を取得する識別情報取得部と、認証に用いられる認証情報を取得する複数の取得方式の少なくともいずれかにより、認証情報を取得する認証情報取得部と、取得した前記識別情報及び前記認証情報を前記認証装置に送信する端末送信部とを有し、前記認証装置は、前記携帯端末から前記識別情報及び前記認証情報を受信する装置受信部と、受信した前記識別情報及び前記認証情報に基づいて前記携帯端末の認証を行う認証部とを有する。
【０００７】
前記端末送信部は、前記識別情報取得部が前記識別情報を取得したことに応じて当該識別情報を前記認証装置に送信し、前記認証装置は、前記装置受信部が前記識別情報を受信したことに応じて、前記複数の取得方式から、少なくとも１以上の取得方式を選択する選択部と、前記携帯端末に、選択された取得方式による前記認証情報の取得を指示する指示情報を送信する装置送信部とを有し、前記認証情報取得部は、受信した前記指示情報に基づいて前記認証情報を取得し、前記端末送信部は、前記認証情報取得部が取得した前記認証情報を前記認証装置に送信してもよい。
【０００８】
前記認証装置は、前記認証部が前記携帯端末の認証に成功した場合、前記識別情報に基づいて、前記携帯端末に提供する提供情報を取得する取得部をさらに有し、前記装置送信部は、取得した前記提供情報を前記携帯端末に送信し、前記端末受信部は、前記認証装置から前記提供情報を受信してもよい。
【０００９】
前記信号発生装置は店舗に設置され、前記認証システムは、前記信号発生装置が設置されている店舗のユーザが使用する店舗端末をさらに有し、前記認証装置は、前記携帯端末を識別する端末識別情報と、当該携帯端末のユーザの情報とを関連付けて記憶する記憶部をさらに有し、前記識別情報取得部は、前記端末識別情報をさらに取得し、前記端末送信部は、前記端末識別情報を前記認証装置にさらに送信し、前記取得部は、前記認証部が前記携帯端末の認証に成功すると、前記記憶部を参照して前記端末識別情報に関連する前記ユーザの情報をさらに取得し、前記装置送信部は、取得した前記ユーザの情報を前記店舗端末に送信してもよい。
【００１０】
本発明の第２の態様に係る携帯端末は、信号発生装置から、所定の識別情報を含む信号を受信する端末受信部と、受信した前記信号に含まれる前記識別情報を取得する識別情報取得部と、認証に用いられる認証情報を取得する複数の取得方式の少なくともいずれかにより、認証情報を取得する認証情報取得部と、取得した前記識別情報及び前記認証情報を認証装置に送信する端末送信部と、を備える。
【００１１】
本発明の第３の態様に係る携帯端末用プログラムは、コンピュータを、信号発生装置から、所定の識別情報を含む信号を受信する端末受信部、受信した前記信号に含まれる前記識別情報を取得する識別情報取得部、認証に用いられる認証情報を取得する複数の取得方式の少なくともいずれかにより、認証情報を取得する認証情報取得部、及び取得した前記識別情報及び前記認証情報を認証装置に送信する端末送信部、として機能させる。
【発明の効果】
【００１２】
本発明によれば、特定場所において提供される情報の不正取得を防止することができる。
【図面の簡単な説明】
【００１３】
【図１】第１の実施形態に係る認証システムのシステム構成図である。
【図２Ａ】第１の実施形態に係る携帯端末の機能構成図である。
【図２Ｂ】第１の実施形態に係る携帯端末の機能構成図である。
【図３】第１の実施形態に係る認証装置の機能構成図である。
【図４Ａ】装置記憶部に記憶されている認証用情報の一例を示す図である。
【図４Ｂ】装置記憶部に記憶されている提供管理情報の一例を示す図である。
【図５】第１の実施形態に係る認証システムにおいて、携帯端末が提供情報を表示するまでのシーケンスの一例を示す図である。
【図６】第２の実施形態に係る認証装置の機能構成図である。
【図７】第２の実施形態に係る認証システムにおいて、携帯端末が提供情報を表示するまでのシーケンスの一例を示す図である。
【図８】第３の実施形態に係る認証システムのシステム構成図である。
【図９】第３の実施形態に係る認証システムにおいて、店舗端末がユーザの情報を表示するまでのシーケンスの一例を示す図である。
【発明を実施するための形態】
【００１４】
以下、本発明の実施形態について説明する。
＜第１の実施形態＞
［認証システムＳの概要］
図１は、第１の実施形態に係る認証システムＳのシステム構成図である。
認証システムＳは、携帯端末１と、認証装置２と、信号発生装置３と、ＧＰＳ衛星４と、基地局５と、アクセスポイント６とを備える。
【００１５】
認証システムＳにおいて、信号発生装置３は、店舗等に設置され、識別情報を含む信号を発生させる。携帯端末１のユーザが、店舗等において信号発生装置３が設置されている特定場所に近づくと、携帯端末１は、信号発生装置３が発生させた信号に含まれる識別情報を取得する。携帯端末１は、当該識別情報を取得すると、ＧＰＳ衛星４から送信されたＧＰＳ信号に基づく携帯端末１の位置情報、基地局５の基地局ＩＤ、及び店舗等に設置されているアクセスポイント６のＳＳＩＤ（Service Set Identifier）の少なくともいずれかを取得する。続いて、携帯端末１は、取得した位置情報、ＳＳＩＤ及び基地局ＩＤの少なくともいずれかを認証情報とし、信号発生装置３から取得した識別情報及び当該認証情報を、基地局５又はアクセスポイント６と、インターネット網等から構成される通信ネットワークＮとを介して認証装置２に送信する。
【００１６】
認証装置２は、識別情報及び認証情報を受信すると、これら識別情報及び認証情報に基づいて認証を行う。認証装置２は、認証に成功すると、提供情報として、クーポンやポイント等の特典情報等を携帯端末１に送信する。
続いて、認証システムＳが備える携帯端末１、認証装置２及び信号発生装置３の詳細な機能について説明する。
【００１７】
［信号発生装置３の構成例］
まず、信号発生装置３の機能について説明する。信号発生装置３は、例えば、近距離無線通信に用いられるＢｌｕｅｔｏｏｔｈ（登録商標）（例えば、Bluetooth Low Energy）や超音波により信号を発生させる装置である。信号発生装置３は、店舗等に設置されており、所定の識別情報を含む信号を定期的（例えば、１秒に１回）に発生させる。ここで、所定の識別情報は、信号発生装置３を識別する識別情報であることとするが、店舗を識別する識別情報、又は提供情報を識別する識別情報であってもよい。
【００１８】
［携帯端末１の構成例］
続いて、携帯端末１が備える機能について説明する。図２Ａは、第１の実施形態に係る携帯端末１の機能構成図である。
携帯端末１は、操作部１１と、表示部１２と、無線部１３と、端末記憶部１４と、端末制御部１５とを備える。
【００１９】
操作部１１は、例えば、ボタンや、表示部１２に重畳して配置される接触センサ等により構成される。操作部１１は、携帯端末１のユーザから操作入力を受け付ける。
表示部１２は、例えば、液晶ディスプレイや有機ＥＬ（Electro-Luminescence）ディスプレイ等により構成される。表示部１２は、端末制御部１５の制御に応じて提供情報等を表示する。
【００２０】
無線部１３は、アンテナ（不図示）を介してＲＦ信号（Radio Frequency）を受信し、当該ＲＦ信号を復調して得られる信号を端末制御部１５に出力する。具体的には、無線部１３は、信号発生装置３が発生させた信号を受信し、当該信号を復調して端末制御部１５に出力する。また、無線部１３は、ＧＰＳ衛星４から送信されたＧＰＳ信号を受信し、当該ＧＰＳ信号を復調して端末制御部１５に出力する。また、無線部１３は、基地局５又はアクセスポイント６から送信された信号を受信し、当該信号を復調して端末制御部１５に出力する。
また、無線部１３は、端末制御部１５から出力された信号を変調してＲＦ信号を生成し、アンテナを介して当該ＲＦ信号を基地局５又はアクセスポイント６に無線送信する。
【００２１】
端末記憶部１４は、例えば、ＲＯＭ及びＲＡＭ等により構成される。端末記憶部１４は、携帯端末１を機能させるための各種プログラムを記憶する。例えば、端末記憶部１４は、携帯端末１の端末制御部１５を、後述する端末受信部１５１、識別情報取得部１５２、認証情報取得部１５３、及び端末送信部１５４として機能させるための携帯端末用プログラムを記憶する。端末記憶部１４は、外部メモリ等の記憶媒体に記憶されたプログラムを読み取って記憶してもよく、通信ネットワークＮを介して外部装置からダウンロードされたプログラムを記憶してもよい。
【００２２】
端末制御部１５は、例えば、ＣＰＵにより構成される。端末制御部１５は、端末記憶部１４に記憶されている各種プログラムを実行することにより、携帯端末１に係る機能を統括的に制御する。端末制御部１５は、端末受信部１５１と、識別情報取得部１５２と、認証情報取得部１５３と、端末送信部１５４とを備える。
【００２３】
端末受信部１５１は、信号発生装置３が発生させた信号を受信する。具体的には、携帯端末１において携帯端末用プログラムが実行中である場合、端末受信部１５１は、信号発生装置３がＢｌｕｅｔｏｏｔｈや超音波を用いて発生させた信号を受け付ける。例えば、信号発生装置３がＢｌｕｅｔｏｏｔｈを用いて信号を発生させる装置である場合には、端末受信部１５１は、図２Ａに示すように、無線部１３を介して信号発生装置３が発生させた信号を受信する。また、信号発生装置３が、超音波を発生させるスピーカである場合には、端末受信部１５１は、図２Ｂに示すように、携帯端末１に設けられたマイク１６を介して、信号発生装置３が発生させた信号を受信する。
【００２４】
また、端末受信部１５１は、認証装置２が携帯端末１の認証に成功したことに応じて送信する提供情報を受信する。そして、端末受信部１５１は、受信した提供情報を表示部１２に表示させる。ここで、端末受信部１５１は、受信した提供情報を端末記憶部１４に記憶させてもよい。
【００２５】
識別情報取得部１５２は、端末受信部１５１が信号発生装置３から受信した信号に含まれる識別情報を取得する。ここで、信号発生装置３が、超音波を発生させるスピーカである場合には、識別情報取得部１５２は、マイク１６が集音した超音波を復調することにより識別情報を取得する。
【００２６】
認証情報取得部１５３は、認証に用いられる認証情報を取得する複数の取得方式の少なくともいずれかにより、１以上の認証情報を取得する。ここで、認証情報は、例えば、携帯端末１の位置を示す位置情報、基地局５を識別する基地局ＩＤ、及びアクセスポイント６を識別するＳＳＩＤである。複数の取得方式とは、ＧＰＳ衛星４から送信されたＧＰＳ信号を受信して携帯端末１の位置を示す位置情報を取得する第１方式、基地局５から基地局ＩＤを取得する第２方式、及びアクセスポイント６のＳＳＩＤを取得する第３方式である。認証情報取得部１５３は、第１方式、第２方式、及び第３方式の少なくともいずれかにより認証情報を取得する。例えば、認証情報取得部１５３は、全ての取得方式により複数の認証情報を取得してもよい。
【００２７】
また、認証情報取得部１５３は、第１方式、第２方式、及び第３方式のうち、認証情報を取得可能な方式を用いて認証情報を取得してもよい。例えば、携帯端末１が、アクセスポイント６が発信するＳＳＩＤを取得しないように設定されている場合、第１方式及び第２方式により認証情報を取得してもよい。また、例えば、携帯端末１が、ＧＰＳ信号が届かない地下等に位置し、ＧＰＳ衛星４が送信するＧＰＳ信号を受信できない場合、第２方式及び第３方式により認証情報を取得してもよい。
【００２８】
また、信号発生装置３として、Ｂｌｕｅｔｏｏｔｈを用いて信号を発生させる装置を用いる場合、認証情報取得部１５３は、超音波を発生させるスピーカから受信した信号に含まれる情報を認証情報としてもよい。また、信号発生装置３として、超音波を発生させるスピーカを用いる場合、認証情報取得部１５３は、Ｂｌｕｅｔｏｏｔｈを用いて信号を発生させる装置から受信した信号に含まれる情報を認証情報としてもよい。
端末送信部１５４は、認証情報取得部１５３が認証情報を取得すると、識別情報取得部１５２が取得した識別情報及び当該認証情報を認証装置２に送信する。
【００２９】
［認証装置２の構成例］
続いて、認証装置２が備える機能について説明する。図３は、第１の実施形態に係る認証装置２の機能構成図である。
認証装置２は、例えばサーバであり、装置記憶部２１と、通信部２２と、装置制御部２３とを備える。
【００３０】
装置記憶部２１は、例えば、ＲＯＭ及びＲＡＭ等により構成される。装置記憶部２１は、認証装置２を機能させるための各種プログラムを記憶する。装置記憶部２１は、外部メモリ等の記憶媒体に記憶されたプログラムを読み取って記憶してもよく、通信ネットワークＮを介して外部装置からダウンロードされたプログラムを記憶してもよい。
【００３１】
装置記憶部２１は、図４Ａに示すように、認証用情報として、信号発生装置３の識別情報と、当該信号発生装置３が設置されている位置に対応する複数の認証情報とを関連付けて予め記憶している。図４Ａでは、認証情報としての位置情報、基地局ＩＤ、及びＳＳＩＤが、識別情報と関連付けられていることが確認できる。
【００３２】
ここで、図４Ａの認証情報は、一部が空欄となっている。例えば、識別情報「０００００２」に関連付けられている基地局ＩＤが空欄となっている。これは、識別情報「０００００２」を受信した際に、認証情報として基地局ＩＤを受信したとしても、当該基地局ＩＤを認証に用いないことを示している。
【００３３】
また、装置記憶部２１は、図４Ｂに示すように、提供管理情報として、信号発生装置３の識別情報と、当該信号発生装置３が設置されている店舗等において提供される提供情報とを関連付けて予め記憶している。
【００３４】
通信部２２は、通信ネットワークＮ、基地局５、及びアクセスポイント６を介して携帯端末１と通信を行う。
装置制御部２３は、例えば、ＣＰＵにより構成される。装置制御部２３は、装置記憶部２１に記憶されている各種プログラムを実行することにより、認証装置２に係る機能を統括的に制御する。装置制御部２３は、装置受信部２３１と、認証部２３２と、取得部２３３と、装置送信部２３４とを備える。
【００３５】
装置受信部２３１は、携帯端末１から識別情報及び認証情報を受信する。
認証部２３２は、装置受信部２３１が受信した識別情報及び認証情報に基づいて携帯端末１の認証を行う。具体的には、認証部２３２は、装置受信部２３１が識別情報及び認証情報を受信すると、装置記憶部２１に記憶されている認証用情報を参照し、受信した全ての認証情報が、受信した識別情報に関連付けられているか否かを判定する認証処理を行う。認証部２３２は、全ての認証情報が関連付けられていると判定すると、認証に成功したと判定する。ここで、認証部２３２は、認証用情報において空欄となっている認証情報については、認証の判定を行わない。また、認証部２３２は、少なくとも１つの認証情報が関連付けられていないと判定すると、認証に失敗したと判定する。
【００３６】
なお、認証部２３２は、受信した認証情報に位置情報が含まれている場合、当該位置情報が示す位置（例えば、緯度及び経度）が、認証用情報において受信した識別情報と関連付けられている位置情報が示す位置から所定範囲内である場合に、受信した位置情報が識別情報に関連付けられていると判定してもよい。また、認証部２３２は、受信した認証情報の数が所定数に達していない場合に認証に失敗したと判定してもよい。
【００３７】
取得部２３３は、認証部２３２が携帯端末１の認証に成功した場合、識別情報に基づいて、携帯端末１に提供する提供情報を取得する。具体的には、取得部２３３は、認証部２３２が認証に成功すると、装置記憶部２１に記憶されている提供管理情報を参照し、受信した識別情報に関連付けられている提供情報を、携帯端末１に提供する提供情報として取得する。
装置送信部２３４は、取得部２３３が取得した提供情報を、識別情報を送信した携帯端末１に送信する。
【００３８】
［認証システムＳのシーケンス］
続いて、第１の実施形態に係る認証システムＳにおける処理の流れについて説明する。図５は、第１の実施形態に係る認証システムＳにおいて、携帯端末１が提供情報を表示するまでのシーケンスの一例を示す図である。
【００３９】
まず、端末受信部１５１は、信号発生装置３が発生させた信号を受信する（Ｓ１０）。
続いて、識別情報取得部１５２は、端末受信部１５１が受信した信号に含まれる識別情報を取得する（Ｓ２０）。
続いて、認証情報取得部１５３は、認証情報を取得する複数の取得方式の少なくともいずれかにより、認証情報を取得する（Ｓ３０）。端末送信部１５４は、認証情報取得部１５３が認証情報を取得したことに応じて、Ｓ２０において取得した識別情報及びＳ３０において取得した認証情報を認証装置２に送信する。
【００４０】
続いて、装置受信部２３１が、携帯端末１から識別情報及び認証情報を受信すると、認証部２３２は、装置記憶部２１に記憶されている認証用情報を参照し、携帯端末１の認証処理を行う（Ｓ４０）。
続いて、認証部２３２は、認証に成功したか否かを判定する（Ｓ５０）。認証部２３２は、認証に成功したと判定すると、Ｓ６０に処理を移す。ここで、認証部２３２は、認証に失敗した場合、装置送信部２３４を介して、認証に失敗した旨を示すエラー情報を携帯端末１に送信してもよい。
【００４１】
続いて、取得部２３３は、装置記憶部２１に記憶されている提供管理情報を参照し、受信した識別情報に関連付けられている提供情報を取得する（Ｓ６０）。続いて、装置送信部２３４は、取得部２３３が取得した提供情報を、識別情報を送信した携帯端末１に送信する。
続いて、端末受信部１５１は、認証装置２から提供情報を受信し、当該提供情報を表示部１２に表示させる（Ｓ７０）。
【００４２】
［第１の実施形態における効果］
以上のとおり、第１の実施形態に係る認証システムＳは、携帯端末１が識別情報及び認証情報を認証装置２に送信し、認証装置２が当該識別情報及び認証情報に基づいて認証を行う。したがって、認証システムＳでは、携帯端末１のユーザが、信号発生装置３から発せられる信号を偽装して識別情報を不正に取得した場合であっても、認証を失敗とし、特定場所において提供される情報の不正取得を防止することができる。
【００４３】
また、認証システムＳは、特定場所に位置する携帯端末１に提供情報を送信することから、提供情報を所望する携帯端末１のユーザを、特定場所に向かわせることができる。よって、認証システムＳは、例えば特定場所が店舗等である場合に、当該店舗等における集客効果を高めることができる。
【００４４】
＜第２の実施形態＞
［認証装置２において、認証情報を取得する方式を選択する］
続いて、第２の実施形態について説明する。第２の実施形態は、認証装置２が、携帯端末１から識別情報を受信すると、認証情報を取得する方式を選択し、当該携帯端末１に対して当該方式により認証情報を取得させる点で第１の実施形態と異なり、その他の点では同じである。このようにすることで、第２の実施形態の認証システムＳは、取得方式を選択せずに認証情報を取得する第１の実施形態の認証システムＳに比べて、認証時における処理を複雑なものとし、セキュリティを強固なものとすることができる。
【００４５】
図６は、第２の実施形態に係る認証装置２の機能構成図である。
第２の実施形態に係る認証装置２は、選択部２３５をさらに備える。以下、認証システムＳにおける処理の流れについて説明しながら、選択部２３５を含む各機能の詳細について説明する。
図７は、第２の実施形態に係る認証システムＳにおいて、携帯端末１が提供情報を表示するまでのシーケンスの一例を示す図である。
【００４６】
まず、端末受信部１５１が、信号発生装置３が発生させた信号を受信し（Ｓ１０）、識別情報取得部１５２が、当該信号に含まれる識別情報を取得する（Ｓ２０）。続いて、端末送信部１５４は、識別情報取得部１５２が識別情報を取得したことに応じて、当該識別情報を認証装置２に送信する。
【００４７】
続いて、装置受信部２３１は、携帯端末１から送信された識別情報を受信する。続いて、選択部２３５は、装置受信部２３１が識別情報を受信したことに応じて、複数の取得方式から、少なくとも１以上の取得方式を選択する（Ｓ２１）。例えば、選択部２３５は、図４Ａに示す認証用情報を参照し、受信した識別情報に関連付けられている認証情報のうち、情報が含まれている認証情報の種別を特定する。例えば、受信した識別情報が「０００００２」である場合、情報が含まれている認証情報の種別は、位置情報及びＳＳＩＤである。位置情報を取得する方式は第１方式であり、ＳＳＩＤを取得する方式は第３方式であることから、選択部２３５は、第１方式及び第３方式を選択する。
【００４８】
また、選択部２３５は、識別情報を受信するたびに、複数の取得方式から、ランダムに１以上の取得方式を選択してもよい。このようにすることで、認証に使用する取得方式を毎回変更し、セキュリティをより強固なものとすることができる。
【００４９】
装置送信部２３４は、識別情報を送信した携帯端末１に、選択された取得方式による認証情報の取得を指示する指示情報を送信する。
続いて、端末受信部１５１が認証装置２から指示情報を受信すると、認証情報取得部１５３は、受信した指示情報に基づいて認証情報を取得する（Ｓ３０）。端末送信部１５４は、認証情報取得部１５３が認証情報を取得したことに応じて、当該認証情報を認証装置２に送信する。
【００５０】
続いて、装置受信部２３１が携帯端末１から認証情報を受信すると、認証部２３２は、既に受信している識別情報及び当該認証情報に基づいて、携帯端末１の認証処理を行う（Ｓ４０）。
続いて、認証部２３２は、認証に成功したか否かを判定し（Ｓ５０）、認証に成功したと判定すると、Ｓ６０に処理を移す。ここで、認証部２３２は、Ｓ４０において受信した認証情報が、Ｓ２１において選択された取得方式に対応していない場合、認証に失敗したと判定してもよい。例えば、認証部２３２は、Ｓ２１において選択された取得方式に対応する認証情報を受信していない場合、又は、Ｓ２１において選択された取得方式とは異なる取得方式で取得された認証情報を受信した場合、認証に失敗したと判定してもよい。
【００５１】
続いて、取得部２３３は、装置記憶部２１に記憶されている提供管理情報を参照し、受信した識別情報に関連付けられている提供情報を取得する（Ｓ６０）。続いて、装置送信部２３４は、取得部２３３が取得した提供情報を、識別情報を送信した携帯端末１に送信する。
続いて、端末受信部１５１は、認証装置２から提供情報を受信し、当該提供情報を表示部１２に表示させる（Ｓ７０）。
【００５２】
［第２の実施形態における効果］
以上のとおり、第２の実施形態に係る認証システムＳは、信号発生装置３の識別情報に基づいて認証情報の取得方式を選択するので、取得方式を選択しない第１の実施形態の認証システムＳに比べて、セキュリティを強固なものとすることができる。また、認証システムＳは、信号発生装置３の識別情報に基づいて認証情報の取得方式を選択することから、複数の信号発生装置３のそれぞれに対応する認証を多様なものとすることができる。
【００５３】
なお、第２の実施形態において、携帯端末１は、識別情報を取得すると、認証装置２に対して識別情報を送信し、認証情報の取得を指示する指示情報を取得したが、信号発生装置３が、識別情報及び指示情報を発信し、携帯端末１が、信号発生装置３から指示情報を取得してもよい。また、信号発生装置３が、指示情報を含む識別情報を発信し、携帯端末１が、信号発生装置３から受信した識別情報から指示情報を抽出してもよい。
【００５４】
＜第３の実施形態＞
［店舗端末７に携帯端末１のユーザの情報を送信する］
続いて、第３の実施形態について説明する。第３の実施形態は、認証装置２が店舗端末７に携帯端末１のユーザの情報を送信し、店舗端末７においてユーザの情報を表示する点で第１の実施形態と異なり、その他の点では同じである。
【００５５】
図８は、第３の実施形態に係る認証システムＳのシステム構成図である。認証システムＳは、店舗端末７をさらに備える。この店舗端末７は、例えば、信号発生装置３が設置されている店舗のユーザが使用する端末である。この店舗端末７は、店舗内に設置されていてもよい。
以下、認証システムＳにおける処理の流れについて説明しながら、第３の実施形態における携帯端末１及び認証装置２の各機能の詳細について説明する。
【００５６】
図９は、第３の実施形態に係る認証システムＳにおいて、店舗端末７がユーザの情報を表示するまでのシーケンスの一例を示す図である。
まず、端末受信部１５１が、信号発生装置３が発生させた信号を受信し（Ｓ１０）、識別情報取得部１５２が、当該信号に含まれる識別情報を取得する（Ｓ２０）。続いて、識別情報取得部１５２は、携帯端末１を識別する端末識別情報を取得する（Ｓ２２）。
【００５７】
続いて、認証情報取得部１５３は、認証情報を取得する複数の取得方式の少なくともいずれかにより、認証情報を取得する（Ｓ３０）。端末送信部１５４は、認証情報取得部１５３が認証情報を取得したことに応じて、Ｓ２０において取得された識別情報、Ｓ２２において取得された端末識別情報及びＳ３０において取得された認証情報を認証装置２に送信する。
【００５８】
Ｓ４０からＳ７０までの処理の流れは、第１の実施形態と同様であるので説明を省略する。
続いて、取得部２３３は、認証部２３２が携帯端末１の認証に成功すると、装置記憶部２１を参照して、端末識別情報に関連するユーザの情報を取得する（Ｓ８０）。具体的には、装置記憶部２１は、端末識別情報と、携帯端末１のユーザの情報とを関連付けて記憶しており、取得部２３３は、装置記憶部２１を参照して、受信した端末識別情報に関連付けられているユーザの情報を取得する。ここで、ユーザの情報は、例えば、ユーザの氏名や趣味、当該ユーザの店舗における購入履歴である。
【００５９】
装置送信部２３４は、取得したユーザの情報を店舗端末７に送信する。
店舗端末７は、ユーザの情報を受信すると、店舗端末７に設けられている表示部に表示させる（Ｓ９０）。
なお、Ｓ６０からＳ７０までの処理と、Ｓ８０からＳ９０までの処理とは、上述した順番に限定されるものではなく、例えば、Ｓ６０からＳ７０までの処理と、Ｓ８０からＳ９０までの処理とを並列して実行してもよい。
【００６０】
［第３の実施形態における効果］
以上のとおり、第３の実施形態に係る認証システムＳでは、店舗端末７にユーザの情報を送信し、当該店舗端末７に当該ユーザの情報を表示させる。このようにすることで、例えば、店舗端末７のユーザは、携帯端末１のユーザの情報を確認し、当該ユーザに対する接客において適切な応対をすることができる。
【００６１】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。特に、装置の分散・統合の具体的な実施形態は以上に図示するものに限られず、その全部若しくは一部について、種々の付加等に応じて、又は、機能負荷に応じて、任意の単位で機能的若しくは物理的に分散・統合して構成することができる。
【符号の説明】
【００６２】
１・・・携帯端末、１１・・・操作部、１２・・・表示部、１３・・・無線部、１４・・・端末記憶部、１５・・・端末制御部、１５１・・・端末受信部、１５２・・・識別情報取得部、１５３・・・認証情報取得部、１５４・・・端末送信部、１６・・・マイク、２・・・認証装置、２１・・・装置記憶部、２２・・・通信部、２３・・・装置制御部、２３１・・・装置受信部、２３２・・・認証部、２３３・・・取得部、２３４・・・装置送信部、２３５・・・選択部、３・・・信号発生装置、４・・・ＧＰＳ衛星、５・・・基地局、６・・・アクセスポイント、７・・・店舗端末、Ｎ・・・通信ネットワーク、Ｓ・・・認証システム
【図１】
2015165356.tif 000003
【図２Ａ】
2015165356.tif 000004
【図２Ｂ】
2015165356.tif 000005
【図３】
2015165356.tif 000006
【図４Ａ】
2015165356.tif 000007
【図４Ｂ】
2015165356.tif 000008
【図５】
2015165356.tif 000009
【図６】
2015165356.tif 000010
【図７】
2015165356.tif 000011
【図８】
2015165356.tif 000012
【図９】
2015165356.tif 000013